(57)【特許請求の範囲】
【請求項１】
導電性の素材からなり、皮膚と接触するヘッドと、
前記ヘッドと接触する皮膚領域に振動を提供するための振動部と、
前記ヘッドの皮膚接触の際にはオン（ＯＮ）状態になり、前記ヘッドの皮膚接触解除の際にはオフ（ＯＦＦ）状態になる作動モードを有し、前記ヘッドと接触する皮膚領域に自動的に光を照射して、単一光源を基準に波長５７５ｎｍ〜６７５ｎｍ及び光量１０ｍＷ／ｃｍ２〜２０ｍＷ／ｃｍ２の光を照射する照明部と、
前記ヘッドと電気的に接続され、前記ヘッドへ微細電流を流すイオントフォレシス処理部とを含み、
前記イオントフォレシス処理部は、
前記ヘッドに通電される微細電流の強度を複数のレベルに調整する電圧調整部と、
前記電圧調整部によって選択されたレベルの微細電流を前記ヘッドへ出力する微細電流出力部と、
前記電圧調整部へ微細電流の出力レベルを選択する信号を入力するレベル選択部とを、含み、
前記振動部は、前記複数のレベルに各別に対応する複数の振動パターンを、有し、前記複数の振動パターンそれぞれは、振動及び停止の過程を繰り返し、前記複数の振動パターンは互いに異なり、
前記電圧調整部は、出力電圧１４〜１８Ｖ及び出力電流１１０〜１２０μＡの第１レベルと、出力電圧１９〜２３Ｖ及び出力電流１４０〜１６０μＡの第２レベルと、出力電圧２４〜２８Ｖ及び出力電流１７０〜１９０μＡの第３レベルとを含む３段階の作動モードを有し、
前記振動部は、前記第１レベルにおいては５０ｍｓの間振動した後１６０ｍｓの間振動が止まる過程を繰り返し、前記第２レベルにおいては５０ｍｓの間振動した後１００ｍｓの間振動が止まる過程を繰り返し、前記第３レベルにおいては５０ｍｓの間振動した後５０ｍｓの間振動が止まる過程を繰り返す振動パターンを有することを特徴とする、皮膚美容機器。
【請求項２】
前記照明部は、
前記ヘッドの皮膚に対する接触有無を感知するセンサーと、
前記センサーの信号に基づいて作動され、波長５７５ｎｍ〜６７５ｎｍ及び光量１０ｍＷ／ｃｍ２〜２０ｍＷ／ｃｍ２の定格を有する一つまたは二つ以上の光源とを含むことを特徴とする、請求項１に記載の皮膚美容機器。
【請求項３】
前記光源は赤色ＬＥＤであることを特徴とする、請求項２に記載の皮膚美容機器。
【請求項４】
前記イオントフォレシス処理部の作動中であることを聴覚的に表示するための音源出力部をさらに含むことを特徴とする、請求項１に記載の皮膚美容機器。
【請求項５】
前記音源出力部は、前記レベル選択部の前記電圧調整部に対する信号出力端に並列接続され、前記レベル選択部の出力信号の変化に応じて互いに異なる音源を出力することを特徴とする、請求項４に記載の皮膚美容機器。
【請求項６】
導電性の素材からなり、皮膚と接触するヘッドと、
前記ヘッドと接触する皮膚領域に振動を提供するための振動部と、
前記ヘッドの皮膚接触の際にはオン（ＯＮ）状態になり、前記ヘッドの皮膚接触解除の際にはオフ（ＯＦＦ）状態になる作動モードを有し、前記ヘッドと接触する皮膚領域に自動的に光を照射して、単一光源を基準に波長５７５ｎｍ〜６７５ｎｍ及び光量１０ｍＷ／ｃｍ２〜２０ｍＷ／ｃｍ２の光を照射する照明部と、
前記ヘッドと電気的に接続され、前記ヘッドへ微細電流を流すイオントフォレシス処理部とを含み、
前記ヘッドは少なくとも一面は外部に露出されるように結合されて、前記振動部、照明部及びイオントフォレシス処理部を収容するケースをさらに含み、
前記ヘッドは、中央に開放部を形成した閉鎖帯型の構造であり、
前記ケースは前記ヘッドを収容して支持させるヘッド支持顎を含み、前記ヘッド支持顎の内側に位置する上面に前記照明部の光源が前記ヘッドの開放部を介して露出されるように配置され、
前記イオントフォレシス処理部は、出力電圧１４〜１８Ｖ及び出力電流１１０〜１２０μＡの第１レベルと、出力電圧１９〜２３Ｖ及び出力電流１４０〜１６０μＡの第２レベルと、出力電圧２４〜２８Ｖ及び出力電流１７０〜１９０μＡの第３レベルとを含む３段階の作動モードを有する電圧調整部、及び前記電圧調整部で選択されたレベルの微細電流を前記ヘッドへ出力する微細電流出力部を含み、
前記ケースに操作部が露出されるように設置されて前記電圧調整部へ微細電流の出力レベルを選択する信号を入力するスイッチをさらに含み、
前記振動部は、前記第１レベルにおいては５０ｍｓの間振動した後１６０ｍｓの間振動が止まる過程を繰り返して、前記第２レベルにおいては５０ｍの間振動した後１００ｍｓの間振動が止まる過程を繰り返して、前記第３レベルにおいては５０ｍｓの間振動した後５０ｍｓの間振動が止まる過程を繰り返す振動パターンを有することを特徴とする、皮膚美容機器。
【請求項７】
前記ケースは、前記ヘッドの開放部の内側において前記光源を覆うように前記ヘッド及びケースの上面のうちのいずれか一方または両方を媒介として固定される透明窓を含むことを特徴とする、請求項６に記載の皮膚美容機器。
【請求項８】
前記ヘッド及びヘッド支持顎は長方形であり、前記ヘッドの開放部はスロット形態であり、
前記光源は、スロット型の前記開放部を介して露出されるように前記ケースの上面に一つまたは二つ以上の列をなして配置されることを特徴とする、請求項６に記載の皮膚美容機器。
【請求項９】
前記振動部は、前記ケースの上面に接するように前記ケースの内側に設置される振動モーターを含むことを特徴とする、請求項６に記載の皮膚美容機器。
【請求項１０】
前記ヘッドと電気的に接続されるように前記ケースに設置される導電性の接地部をさらに含むことを特徴とする、請求項６に記載の皮膚美容機器。
【請求項１１】
前記振動部、照明部、イオントフォレシス処理部のうちのいずれか一つまたは二つ以上へ電源を供給するために前記ケースに設置される二次電池と、
前記二次電池の無線充電のために、前記二次電池が前記ケースに設置される状態を基準にして前記二次電池との電気的な接続がされるように、前記ケースに設置される電力受信コイルと、
前記電力受信コイルに無線電力を送信するための電力送信コイルとを、含み、前記電力送信コイルを介して前記電力受信コイルに無線電力を送信できるように、前記ケースを据置させる無線充電器をさらに含むことを特徴とする、請求項６に記載の皮膚美容機器。
【発明の詳細な説明】
【技術分野】
【０００１】
本発明は、皮膚に流す微細電流の強度を多段階に調整できるとともに、微細電流を皮膚に流す過程において高出力の光及び振動を一緒に提供して、当該皮膚に塗布された有効成分の吸収が促進され、これにより皮膚の健康維持及び増進に役立てることができ、特に抗酸化および抗老化に優れた機能を有する皮膚美容機器に関する。
【背景技術】
【０００２】
一般に、皮膚組織は、最外郭層である表皮層、真皮層及び皮下組織からなり、表皮層と真皮層には、毛嚢孔を含む皮脂腺及び汗孔が形成されている。
【０００３】
そのような皮膚組織は、新陳代謝を行う過程で絶え間なく異物を生成して排出するので、このように排出される異物が適切に除去されてきれいな状態が維持されてこそ皮膚組織の健康が維持される。
【０００４】
しかし、現代人は、皮膚組織に有害な物質、例えば大気中の汚染物質などに持続的に露出される環境の中で生活しており、また、各種のストレスに容易に露出される生活パターンが維持されることにより、ホルモン分泌の不均衡による自律神経の異常、栄養摂取の不均衡などによるシミ、肝斑、シワ、老化、皮膚の乾性化または脂性化などで苦しんでいる。
【０００５】
これにより、体質や肌の特性を考慮した様々な洗顔法やスキンケア法などが提案されており、各種の機能性化粧品が開発され続けている。また、最近では、皮膚の様々な刺激（振動、低周波、ガルバニックイオン、赤外線など）を伝達して該当皮膚の血行を促進すると同時に、毛穴を拡張させて老廃物の分泌を促進する様々な皮膚マッサージ器が提供されている。
【０００６】
したがって、皮膚に各種刺激を伝達して該当皮膚の健康維持及び増進を助けようとする改善された技術の研究過程で本発明を導出し、提案するに至った。
【先行技術文献】
【特許文献】
【０００７】
【特許文献１】韓国登録特許第１０−１５０５４７６号（２０１５年３月２４日公告）、「微細電流印加モジュール及びこれを含むスキンケア装置」
【特許文献２】韓国登録特許第１０−０３８７９１３（２００３年６月１８日公告）、「携帯用スキンケア装置及びスキンケア方法」
【発明の概要】
【発明が解決しようとする課題】
【０００８】
本発明の実施形態は、皮膚に流す微細電流の強度を多段階に調整できるとともに、微細電流を皮膚に流す過程において高出力の光及び振動を一緒に提供して、該当皮膚に塗布された有効成分の吸収を促進させ、これにより皮膚の健康維持及び増進に役立てることができ、特に抗酸化および抗老化に優れた機能を有する皮膚美容機器を提供する。
【０００９】
また、本発明の実施形態は、皮膚に対するイオントフォレシス（ｉｏｎｔｏｐｈｏｒｅｓｉｓ）の過程において、当該皮膚に高出力の光を連動して提供するが、このように高出力の光を提供する光源が皮膚に微細電流を流す部分の皮膚に対する接触時にのみ自動作動するように構成され、イオントフォレシスの過程において高出力の光が必ず一緒に提供されるようにし、これに加えて高出力の光源を使用することによるエネルギー消費の負担を減らすとともに使用上の利便性を向上させる皮膚美容機器を提供する。
【００１０】
また、本発明の実施形態は、皮膚にイオントフォレシスの機能が提供されていることをユーザーに聴覚的に認知させることができるだけでなく、皮膚に流す微細電流の強度を多段階に調整する過程においてユーザーが現在の段階を聴覚的に確認し、それにより、現在皮膚に供給される微細電流の強度を認知できる皮膚美容機器を提供する。
【００１１】
また、本発明の実施形態は、無線充電が可能な形態で構成され、高出力の光源が使用されることによる比較的頻繁な充電が必要とされる使用環境においてユーザーが容易に充電させながら使用することができる皮膚美容機器を提供する。
【課題を解決するための手段】
【００１２】
本発明の実施形態に係る皮膚美容機器は、導電性の素材からなり、皮膚との接触がなされるヘッドと、前記ヘッドと接触する皮膚領域に振動を提供するための振動部と、前記ヘッドの皮膚接触の際にオン（ＯＮ）状態になり、前記ヘッドの皮膚接触解除の際にオフ（ＯＦＦ）状態になる作動モードを有して前記ヘッドと接触する皮膚領域に自動的に光を照射し、単一光源を基準に波長５７５ｎｍ〜６７５ｎｍ及び光量１０ｍＷ／ｃｍ2〜２０ｍＷ／ｃｍ2の光を照射する照明部と、前記ヘッドと電気的に接続されて前記ヘッドへ微細電流を流すイオントフォレシス処理部とを含むことができる。
【００１３】
また、前記照明部は、前記ヘッドの皮膚への接触有無を感知するセンサーと、前記センサーの信号に基づいて作動し、波長５７５ｎｍ〜６７５ｎｍ及び光量１０ｍＷ／ｃｍ2〜２０ｍＷ／ｃｍ2の定格を有する一つまたは二つ以上の光源とを含むことができる。
【００１４】
また、前記光源は赤色ＬＥＤであってもよい。
【００１５】
また、前記イオントフォレシス処理部は、前記ヘッドに通電される微細電流の強度を複数のレベルに調整する電圧調整部と、前記電圧調整部で選択されたレベルの微細電流を前記ヘッドへ出力する微細電流出力部と、前記電圧調整部へ、微細電流の出力レベルを選択する信号を入力するレベル選択部とを含むことができる。
【００１６】
また、前記電圧調整部は、出力電圧１４〜１８Ｖ及び出力電流１１０〜１２０μＡの第１レベルと、出力電圧１９〜２３Ｖ及び出力電流１４０〜１６０μＡの第２レベルと、出力電圧２４〜２８Ｖ及び出力電流１７０〜１９０μＡの第３レベルとを含む３段階の作動モードを有し、前記振動部は、前記第１レベルにおいては５０ｍｓの間振動した後１６０ｍｓの間振動が止まる過程を繰り返し、前記第２レベルにおいては５０ｍｓの間振動した後１００ｍｓの間振動が止まる過程を繰り返し、前記第３レベルにおいては５０ｍｓの間振動した後５０ｍｓの間振動が止まる過程を繰り返す振動パターンを有することができる。
【００１７】
また、本発明の実施形態に係る皮膚美容機器は、前記イオントフォレシス処理部の作動中であることを聴覚的に表示するための音源出力部をさらに含むことができる。
【００１８】
また、前記音源出力部は、前記レベル選択部の前記電圧調整部に対する信号出力端に並列接続され、前記レベル選択部の出力信号の変化に応じて、互いに異なる音源を出力してもよい。
【００１９】
また、本発明の実施形態に係る皮膚美容機器は、前記ヘッドが少なくとも一面は外部に露出されるように結合され、前記振動部、照明部及びイオントフォレシス処理部を収容するケースをさらに含むことができる。
【００２０】
また、前記ヘッドは、中央に開放部を形成した閉鎖帯型の構造であり、前記ケースは、前記ヘッドを収容して支持させるヘッド支持顎が含まれ、前記ヘッド支持顎の内側に位置する上面に、前記照明部の光源が前記ヘッドの開放部を介して露出されるように配置されてもよい。
【００２１】
また、前記ケースは、前記ヘッドの開放部の内側において前記光源を覆うように前記ヘッド及びケースの上面のいずれか一方または両方を媒介として固定される透明窓を含むことができる。
【００２２】
また、前記ヘッド及びヘッド支持顎は長方形であり、前記ヘッドの開放部はスロット形態であり、前記光源は、スロット型の前記開放部を介して露出されるように前記ケースの上面に一つまたは二つ以上の列をなして配置されてもよい。
【００２３】
また、前記振動部は、前記ケースの上面に接するように前記ケースの内側に設置される振動モーターを含むことができる。
【００２４】
また、前記イオントフォレシス処理部は、出力電圧１４〜１８Ｖ及び出力電流１１０〜１２０μＡの第１レベルと、出力電圧１９〜２３Ｖ及び出力電流１４０〜１６０μＡの第２レベルと、出力電圧２４〜２８Ｖ及び出力電流１７０〜１９０μＡの第３レベルとを含む３段階の作動モードを有する電圧調整部、及び前記電圧調整部で選択されたレベルの微細電流を前記ヘッドへ出力する微細電流出力部を含み、本発明の実施形態に係る皮膚美容機器は、前記ケースに操作部を露出するように設置され、前記電圧調整部に微細電流の出力レベルを選択する信号を入力するスイッチをさらに含み、前記振動部は前記第１レベルにおいては５０ｍｓの間振動した後１６０ｍｓの間振動が止まる過程を繰り返し、前記第２レベルにおいては５０ｍの間振動した後１００ｍｓの間振動が止まる過程を繰り返し、前記第３レベルにおいては５０ｍｓの間振動した後５０ｍｓの間振動が止まる過程を繰り返す振動パターンを有することができる。
【００２５】
また、本発明の実施形態に係る皮膚美容機器は前記ヘッドと電気的に接続されるように、前記ケースに設置される導電性の接地部をさらに含むことができる。
【００２６】
また、本発明の実施形態に係る皮膚美容機器は、前記振動部、照明部及びイオントフォレシス処理部のうちいずれか一つまたは二つ以上に対する電源供給のために前記ケースに設置される二次電池と、前記二次電池の無線充電のために前記二次電池が前記ケースに設置された状態を基準としたとき、前記二次電池と電気的に接続されるように前記ケースに設置される電力受信コイルと、前記電力受信コイルに無線電力を送信するための電力送信コイルとを含み、前記電力送信コイルを介して前記電力受信コイルに無線電力を送信できるように前記ケースを据置させる無線充電器をさらに含むことができる。
【発明の効果】
【００２７】
本発明の実施形態によれば、イオントフォレシス機能の皮膚美容機器を使用するとき、皮膚に流す微細電流の強度を多段階に調整できるとともに、微細電流を皮膚に流す過程において高出力の光及び振動を一緒に提供して、当該皮膚に塗布された有効成分の吸収が促進され、これにより皮膚の健康維持及び増進に役立てることができ、特に抗酸化および抗老化に優れた機能の提供できる。
【００２８】
また、皮膚美容機器を用いて、皮膚に対するイオントフォレシス（ｉｏｎｔｏｐｈｏｒｅｓｉｓ）の過程において、該当皮膚に高出力の光を連動して提供するが、このように高出力の光を提供する光源が皮膚に微細電流を流す部分の皮膚に対する接触時にのみ自動作動するように構成され、イオントフォレシスの過程において出力の光が必ず一緒に提供されるとともに、高出力光源の使用によるエネルギー消費の負担を減らし、使用上の利便性を向上させることができる。
【００２９】
また、皮膚にイオントフォレシスの機能が提供されていることをユーザーが聴覚的に認知できるだけでなく、皮膚に流す微細電流の強度が多段階に調整される過程においてユーザーが現在の段階を聴覚的に確認でき、その確認により、現在皮膚に供給される微細電流の強度を認知できる。
【００３０】
また、高出力の光源が使用されるイオントフォレシス機能の皮膚美容機器が無線充電可能であることにより、ユーザーが充電させながらより容易に使用することができる。
【図面の簡単な説明】
【００３１】
【図１】本発明の実施形態に係る皮膚美容機器の基本構成を示すブロック図である。
【図２】本発明の実施形態に係る皮膚美容機器の段階別振動パターンを示す図である。
【図３】本発明の実施形態に係る皮膚美容機器の向上した機能を実験によって証明した実験データを示す図である。
【図４】本発明の実施形態に係る皮膚美容機器の向上した機能を実験によって証明した実験データを示す図である。
【図５】本発明の一実施形態に係る皮膚美容機器の外形を示す斜視図である。
【図６】本発明の一実施形態に係る皮膚美容機器の内部構造を示す図である。
【図７】本発明の一実施形態に係る皮膚美容機器の電気的構成を示すブロック図である。
【図８】本発明の一実施形態に係る皮膚美容機器の無線充電中の状態を示す斜視図である。
【発明を実施するための形態】
【００３２】
以下の本発明についての詳細な説明は、本発明が実施され得る実施形態であり、該当実施形態に対する例示として示された添付図面を参照する。これらの実施形態は、当業者が本発明を実施することができるように十分詳細に説明される。本発明の様々な実施形態は、互いに異なるが、相互排他的である必要はないことが理解されるべきである。例えば、ここに記載されている特定の形状、構造及び特性は、一実施形態に関連して本発明の思想及び範囲を逸脱することなく、他の実施形態に具現できる。また、それぞれの記載された実施形態内の個別構成要素の位置または配置は、本発明の思想及び範囲を逸脱することなく変更できることが理解されるべきである。
【００３３】
したがって、後述する詳細な説明は、限定的な意味で取ろうとするものではなく、本発明の範囲は、適切に説明されれば、その請求の範囲が主張するのと均等なすべての範囲とともに請求の範囲によってのみ限定される。図面における類似の参照符号は、様々な側面に亘って同一または類似の機能を指す。
【００３４】
本発明で使用される用語は、本発明における機能を考慮しながら出来る限り現在広く使用される一般な用語を選択したが、これは、当該分野に従事する技術者の意図または判例、新しい技術の出現などによって変わり得る。また、特定の場合は、出願人が任意に選定した用語もあり、この場合、該当する発明の説明部分で詳細にその意味を記載する。よって、本発明で使用される用語は、単純な用語の名称ではなく、その用語が有する意味と本発明の全般にわたる内容に基づいて定義されるべきである。
【００３５】
発明全体において、ある部分がある構成要素を「含む」とするとき、これは、特に反対される記載がない限り、他の構成要素を除外するのではなく、他の構成要素をさらに含むことができることを意味する。また、明細書に記載された「・・・部」、「・・・モジュール」などの用語は少なくとも一つの機能や動作を処理する単位を意味し、これは、ハードウェアまたはソフトウェアで実現されるか、或いはハードウェアとソフトウェアとの組み合わせで実現され得る。
【００３６】
以下、図１乃至図８を参照して、本発明の実施形態に係る皮膚美容機器について説明する。
【００３７】
図１は本発明の実施形態に係る皮膚美容機器の基本構成を示すブロック図である。
【００３８】
図示の如く、本発明の実施形態に係る皮膚美容機器１００はヘッド１１０、振動部１２０、照明部１３０、及びイオントフォレシス処理部１４０を含んで構成される。また、本発明の実施形態に係る皮膚美容機器は音源出力部１５０をさらに含んで構成できる。
【００３９】
ヘッド１１０は、導電性の素材からなり、皮膚との接触がなされる。このようなヘッド１１０は、イオントフォレシス処理部１４０を介して供給される微細電流を接触する皮膚に流す機能を果たす。本実施形態では、ヘッド１１０がステンレス鋼を素材として形成されることを例としたが、本発明はこれに限定されるものではない。敷衍説明すれば、本実施形態において、ヘッド１１０の素材としてはＳＵＳ３１６が使用されることを例とした。
【００４０】
振動部１２０は、ヘッド１１０と接触する皮膚領域に振動を提供する機能を果たす。このような振動部１２０は、振動モーターが使用される通常の形態が使用できるが、本発明はこれに限定されるものではない。振動部１２０は、ヘッド１１０と接触する皮膚に振動を提供できる条件を満足する範囲で様々な変形形態が使用できる。そして、本実施形態では、振動部１２０が後述のイオントフォレシス処理部１４０のレベル選択部１４３の信号に応じて多段階の振動パターンで作動する形態を例としたが、本発明はこれに限定されるものではなく、振動部１２０は、別のオン／オフスイッチ及び振動パターンの変換のためのスイッチを含んでもよい。
【００４１】
照明部１３０は、ヘッド１１０と接触する皮膚領域に照明を提供する機能を有する。この際、照明部１３０は、ヘッド１１０の皮膚接触の際にオン（ＯＮ）状態になり、ヘッド１１０の皮膚に対する接触解除の際にオフ（ＯＦＦ）状態になる作動モードを有するため、ヘッド１１０と接触する皮膚領域に自動的に光を照射する形態である。このため、照明部１３０は、ヘッド１１０の皮膚に対する接触有無を感知するセンサー１３１、及びこのようなセンサー１３１の信号に応じて作動する一つまたは二つ以上の光源１３２を含むことができる。センサー１３１としては、通常のタッチセンサーが使用できるが、本発明はこれに限定されるものではなく、センサー１３１は、ヘッド１１０の皮膚に対する接触がなされる状況を感知する条件を満足する範囲内で様々な変形が可能である。
【００４２】
照明部１３０は、単一光源を基準として波長５７５ｎｍ〜６７５ｎｍ及び光量１０ｍＷ／ｃｍ2〜２０ｍＷ／ｃｍ2の光を照射する。つまり、照明部１３０は、イオントフォレシスを利用する従来の皮膚美容機器に比べて高出力の光を出力し、これにより、本発明の実施形態に係る皮膚美容機器１００は、皮膚に対して抗酸化及び抗老化機能を提供する。また、本実施形態では、照明部１３０の光源として赤色ＬＥＤが使用されることを例としたが、本発明はこれに限定されるものではなく、照明部１３０の光源は、波長５７５ｎｍ〜６７５ｎｍ及び光量１０ｍＷ／ｃｍ2〜２０ｍＷ／ｃｍ2の光を照射する条件を満足する範囲内で様々な光源形態が提供できる。
【００４３】
イオントフォレシス処理部１４０は、ヘッド１１０と電気的に接続され、このようなイオントフォレシス処理部１４０は、ヘッド１１０へ微細電流を流す。このとき、イオントフォレシス処理部１４０は、ヘッド１１０に流す微細電流の強度を複数のレベルに調整できる。そのために、イオントフォレシス処理部１４０は、電圧調整部１４１、微細電流出力部１４２及びレベル選択部１４３を含むことができる。
【００４４】
すなわち、電圧調整部１４１は、ヘッド１１０に通電される微細電流の強度を複数のレベルに調整する機能を有し、微細電流出力部１４２は、電圧調整部１４１で選択されたレベルの微細電流をヘッド１１０へ出力する機能を有し、レベル選択部１４３は、電圧調整部１４１へ微細電流の出力レベルを選択する信号を入力する機能を有する。
【００４５】
電圧調整部１４１は、出力電圧１４〜１８Ｖ及び出力電流１１０〜１２０μＡの第１レベルと、出力電圧１９〜２３Ｖ及び出力電流１４０〜１６０μＡの第２レベルと、出力電圧２４〜２８Ｖ及び出力電流１７０〜１９０μＡの第３レベルとを含む３段階の作動モードでイオントフォレシス処理部１４０が作動できるようにする。電圧調整部１４１のこのようなレベル毎の出力電圧及び出力電流の値は、照明部１３０で照射される高出力光との連携作用によって皮膚に対する美容機能を極大化きる数値であり、これについての詳細は実験結果に基づいて後述する。
【００４６】
また、電圧調整部１４１の３段階の作動モードに応じて振動部１２０の振動パターンも３段階に変化できる。
【００４７】
図２は電圧調整部の３段階の作動モードによる振動部の段階別振動パターンを示す図である。これを参照すると、振動部１２０は、電圧調整部１４１の第１レベル作動モードにおいては５０ｍｓの間振動した後１６０ｍｓの間振動が止まる過程を繰り返す振動パターンを示し、電圧調整部１４１の第２レベル作動モードにおいては５０ｍｓの間振動した後１００ｍｓの間振動が止まる過程を繰り返す振動パターンを示し、電圧調整部１４１の第３レベル作動モードにおいては５０ｍｓの間振動した後５０ｍｓの間振動が止まる過程を繰り返す振動パターンを示せる。このとき、振動部１２０は、レベル選択部１４３の電圧調整部１４１に対する出力端に並列接続され、レベル選択部１４３の信号に応じて振動パターンが切り替えられてもよい。
【００４８】
再び図１に戻って、音源出力部１５０は、皮膚美容機器１００を介して皮膚にイオントフォレシス機能が提供されることをユーザーが聴覚的に確認できる機能を提供する。つまり、音源出力部１５０は、イオントフォレシス処理部１４０の作動中であることをユーザーが聴覚的に認知できるように音源を出力する。また、音源出力部１５０は、レベル選択部１４３の電圧調整部１４１に対する信号出力端に並列接続され、レベル選択部１４３の出力信号の変化に応じて互いに異なる音源を出力し、それにより、皮膚美容機器１００のユーザーが音源出力部１５０を介して出力される音源を区別して、現在皮膚美容機器１００のイオントフォレシスがどの段階で行われているかを聴覚的に認知できる。
【００４９】
また、音源出力部１５０は、１回の作動を基準に作動時間が予め設定されて、その設定の作動時間の間に作動した後、自動的に作動が止まって音源出力が停止してもよい。
【００５０】
電源部１６０は、振動部１２０、照明部１３０、イオントフォレシス処理部１４０および音源出力部１５０に電源を供給し、このような電源部１６０は、バッテリーまたは皮膚美容機器１００の外部から供給される電源の供給を受ける電源回路など、振動部１２０、照明部１３０、イオントフォレシス処理部１４０および音源出力部１５０に定格電源を印加できる電源形態のすべて含む。
【００５１】
また、図面において、破線の矢印は電源部１６０を介した電源供給ラインを例示したものである。
【００５２】
図３及び図４は本発明の実施形態に係る皮膚美容機器の向上した機能を実験によって証明した実験データを示す。
【００５３】
まず、図３はビタミンＣ誘導体の吸収試験についての結果を示す。実験条件は、人体／テープストリッピング（ｔａｐｅ  ｓｔｒｉｐｐｉｎｇ）、ＶＣＥ４％、３分、Ｎ＝１である。
【００５４】
実験結果、本発明の実施形態に係る皮膚美容機器を使用するとき、手に比べてビタミンＣ誘導体の吸収率が４倍増加することが確認された。参考までに、当該実験結果は、皮膚美容機器のイオントフォレシス処理部が３段階作動モードの場合の例である。
【００５５】
図４は赤色光（６３０ｎｍ）の抗酸化、抗老化効果に対する評価結果を示すものである。
【００５６】
実験結果、本発明の実施形態に係る皮膚美容機器を使用するとき、ビタミンＣと赤色光による紫外線によってＲＯＳ生成が抑制される効能の確認の共に、赤色光による真皮線維芽細胞のプロコラーゲン生成が増加する効能が確認された。
【００５７】
続いて、図５乃至図８を参照して、本発明の皮膚美容機器について、より具体的な実施形態を説明する。
【００５８】
図５は本発明の一実施形態に係る皮膚美容機器の外形を示す斜視図、図６は本発明の一実施形態に係る皮膚美容機器の内部構造を示す図、図７は本発明の一実施形態に係る皮膚美容機器の電気的構成を示すブロック図である。そして、図８は本発明の一実施形態に係る皮膚美容機器の無線充電中の状態を示す斜視図である。
【００５９】
図示の如く、本実施形態に係る皮膚美容機器２００は、図１を参照して説明した実施形態と同様に、ヘッド２１０、振動部２２０、照明部２３０、及びイオントフォレシス処理部２４０を含んで構成され、これらの構成は、図１の実施形態に係るヘッド１１０、振動部１２０、照明部１３０、イオントフォレシス処理部１４０と同様の構成及び機能を有する。よって、本実施形態ではこれについての具体的な説明は省略する。また、本実施形態の皮膚美容機器２００は、音源出力部２５０をさらに含んで構成でき、このような音源出力部２５０も、図１の実施形態に係る音源出力部１５０と同一の構成及び機能であるので、これについての具体的な説明は省略する。
【００６０】
本実施形態に係る皮膚美容機器２００は、上述した基本構成に加えて、ケース２６０、スイッチ２７０、接地部２８０、二次電池２９０、電力受信コイル３００及び無線充電器３１０をさらに含んで構成される。
【００６１】
ケース２６０は、ヘッド２１０を少なくとも一面が外部に露出されるように結合させる。また、ケース２６０は、振動部２２０、照明部２３０、イオントフォレシス処理部２４０を内側に収容するとともに、これらの振動部２２０、照明部２３０、イオントフォレシス処理部２４０の設置スペースを備える。そして、本実施形態の皮膚美容機器２００に音源出力部２５０が含まれる場合、ケース２６０は、音源出力部２５０も内側に収容するとともに、上記の音源出力部２５０の設置スペースも備える。
【００６２】
ヘッド２１０は、中央部に開放部２１１を形成した閉鎖帯型の構造でもよい。ケース２６０は、ヘッドを収容して支持させるヘッド支持顎２６１を備え、このようなヘッド支持顎２６１の内側に位置するケース２６０の上面に照明部２３０の光源２３２が配置され、この際、照明部２３０の光源２３２がヘッド２１０の開放部２１１を介して露出される。
【００６３】
また、ケース２６０は、ヘッド２１０の開放部２１１の内側において照明部２３０の光源２３２を覆う透明窓２６２を含むことができ、このような透明窓２６２は、ヘッド２１０及びケース２６０の上面のうちいずれか一方または両方を媒介として、ヘッド２１０の開放部２１１の内側に固定できる。
【００６４】
ヘッド２１０及びヘッド支持顎２６１は長方形に形成され、これにより、ヘッド２１０の開放部２１１はスロットの形態をなし、照明部２３０の光源２３２は、ヘッド２１０のスロット型開放部２１１を介して露出されるように、ケース２６０の上面に沿って一つまたは二つ以上の列を成して配置されることができる。本実施形態を基準に敷衍説明すると、照明部２３０の光源２３２である７つの赤色ＬＥＤがケース２６０の上面にヘッド２１０の開放部２１１に沿って一列に配置され、光を照射する。
【００６５】
ケース２６０の上面と接する領域に振動部２２０を設置できる。すなわち、振動部２２０の振動モーター２２１がケース２６０の上面と接するようにケース２６０の内側に設置され、上記振動モーター２２１の作動によって、ケース２６０の上面及びそれに結合されたヘッド２１０と照明部２３０に振動を提供できる。
【００６６】
スイッチ２７０は、ケース２６０に操作部２７１が露出されるように設置され、操作部２７１をユーザーが操作する際に、イオントフォレシス処理部２４０の電圧調整部２４１へ微細電流の出力レベルを選択する信号を入力する。つまり、スイッチ２７０は、図１を参照して説明した実施形態のイオントフォレシス処理部１４０におけるレベル選択部１４３に該当する構成である。そして、本実施形態では、スイッチ２７０が押圧方式のボタン型スイッチであることを例としたが、本発明はこれに限定されるものではない。スイッチ２７０は、イオントフォレシス処理部２４０の電圧調整部２４１へ微細電流の出力レベルを選択する信号を入力することができる条件を満足する範囲内でロータリー型スイッチまたはスライドスイッチなどの様々な形態が使用できる。
【００６７】
また、スイッチ２７０は、イオントフォレシス処理部２４０に対するオン／オフスイッチの機能も一緒に持つものであり、これとは異なり、イオントフォレシス処理部２４０のオン／オフ動作のための別途のスイッチが提供される形態が使用されてもよい。
【００６８】
接地部２８０は、ヘッド２１０と電気的に接続されるようにケース２６０に設置され、上記接地部２８０は、ヘッド２１０で通電している微細電流に対する接地機能を果たす。
【００６９】
本実施形態では、接地部２８０がケース２６０の側面に帯状をなして露出する形態を例としたが、本発明はこれに限定されるものではない。
【００７０】
本実施形態を基準として敷衍説明すると、本実施形態において、ケース２６０は、その全体的な形状が長方形であると同時に、ヘッド２１０を結合させる上面が傾斜面であり、このように傾いた上面にヘッド２１０が結合され、四つの側面のうち、短軸方向の両側に位置する相対的に幅が狭い二つの側面にスイッチ２７０のボタン式操作部２７１及び接地部２８０がそれぞれ設置される。接地部２８０は、ケース２６０の高さ方向に沿って配置される帯状に形成される。
【００７１】
また、本実施形態において、接地部２８０は、ステンレス鋼ＳＵＳ３１６を素材として形成されることを例としたが、本発明はこれに限定されるものではない。
【００７２】
二次電池２９０は、振動部２２０、照明部２３０及びイオントフォレシス処理部２４０のうちのいずれか一つまたは二つ以上への電源供給のためにケース２６０に設置され、このような二次電池２９０は、ケース２６０に固定式の内蔵型で設置されてもよく、これとは異なり、ケース２６０に脱着式の内蔵型で設置されてもよい。
【００７３】
電力受信コイル３００は、二次電池２９０の無線充電のために二次電池２９０がケース２６０に設置された状態を基準にして、二次電池２９０との電気的な接続がなされるようにケース２６０に設置される。すなわち、二次電池２９０がケース２６０に固定式の内蔵形態で設置される場合、電力受信コイル３００は、二次電池２９０の充電端子と常に接続されるようにケース２６０に設置される。二次電池２９０がケース２６０に脱着式の内蔵形態で設置される場合、電力受信コイル３００は、二次電池２９０のケース２６０に対する結合の際に二次電池２９０の充電端子に接続される充電端子を含む形態であろう。
【００７４】
本実施形態では、二次電池２９０がケース２６０に固定式の内蔵形態で設置され、それにより、電力受信コイル３００が二次電池２９０の充電端子と常に接続されるようにケース２６０に設置された形態を例とした。
【００７５】
無線充電器３１０は、電力受信コイル３００に無線電力を送信するための電力送信コイル３１１を含み、それにより、無線充電器３１０は、電力送信コイル３１１を介して電力受信コイル３００に無線電力を送信できるようにケース２６０を据置させる。本実施形態では、このような無線充電器３１０が電力送信コイル３１１を内側上面に配置している円板状の構造であることを例としたが、本発明はこれに限定されるものではない。また、無線充電器３１０の電力送信コイル３１１を介して電力受信コイル３００に無線電力が送信される技術は、現在の無線充電技術から選択されて使用されればよい。よって、本実施形態では、これについての具体的な説明及び図示は省略する。
【００７６】
上述した図１乃至図８の説明から分かるように、本発明に係る皮膚美容機器は、その使用過程において皮膚に流す微細電流の強度をユーザーが多段階に調整することができると共に、微細電流を皮膚に流す過程において高出力の光及び振動を一緒に提供して、当該皮膚に塗布された有効成分の吸収が促進され、これにより、皮膚の健康維持及び増進に役立ち、特に抗酸化および抗老化に優れた機能を提供する。
【００７７】
また、皮膚にイオントフォレシス機能を提供する過程において当該皮膚に高出力の光を連動して提供するところ、このように高出力の光を提供する光源が、微細電流が流れる皮膚への接触のみに自動作動するため、皮膚へのイオントフォレシスの過程において高出力の光が必ず一緒に提供でき、さらに高出力の光源を使用することによるエネルギー消費の負担を減らすことにより、ユーザーの利便性をより向上させる。
【００７８】
また、皮膚にイオントフォレシスの機能が提供されていることをユーザーが聴覚的に認知できる。さらに、皮膚に流す微細電流の強度が多段階に調整される過程においてユーザーが現在の段階を聴覚的に確認できるため、現在皮膚に供給される微細電流の強度を認知できる。
【００７９】
また、高出力の光源の使用に伴って比較的頻繁な充電が要求されるにもかかわらず、無線充電が可能なのでユーザーは充電させながら容易に使用できる。
【００８０】
以上の如く、本説明では、具体的な構成要素などの特定の事項、限定された実施形態及び図面によって説明されたが、これは本発明のより全般的な理解を助けるために提供されたものに過ぎず、本発明は、これらの実施形態に限定されるものではなく、本発明の属する分野における通常の知識を有する者であれば、このような記載から多様な修正及び変形が可能である。
【００８１】
したがって、本発明の思想は説明された実施形態に局限されて定められてはならず、後述する特許請求の範囲だけでなく、この特許請求の範囲と均等な或いは等価的な変形物もすべて本発明の思想の範疇に属するといえる。
【符号の説明】
【００８２】
１００、２００    皮膚美容機器
１１０、２１０    ヘッド
１２０、２２０    振動部
１３０、２３０    照明部
１３１    センサー
１３２、２３２    光源
１４０、２４０    イオントフォレシス処理部
１４１、２４１    電圧調整部
１４２    微細電流出力部
１４３    レベル選択部
１５０、２５０    音源出力部
１６０    電源部
２１１    開放部
２２１    振動モーター
２６０    ケース
２６１    ヘッド支持顎
２６２    透明窓
２７０    スイッチ
２７１    操作部
２８０    接地部
２９０    二次電池
３００    電力受信コイル
３１０    無線充電器
３１１    電力送信コイル
３２０    ＰＣＢ
【図１】
0006630429.tif 000002
【図２】
0006630429.tif 000003
【図３】
0006630429.tif 000004
【図４】
0006630429.tif 000005
【図５】
0006630429.tif 000006
【図６】
0006630429.tif 000007
【図７】
0006630429.tif 000008
【図８】
0006630429.tif 000009